(57)【要約】フレームと、複数の柱（１６）と、複数のコネクタアセンブリ（１８）とを有するキャビネット。複数のコネクタアセンブリ（１８）は、柱（１６）をフレーム（１２）に連結するように適合されている。コネクタアセンブリには、フレームによって堅固に支持されたガセット（２４）と、当該ガセットによって支持されたクランププレート（２６）とが設けられており、当該クランププレートが当該ガセットから間隔をあけて配置されて、当該ガセット（２４）の少なくとも一部分と当該クランププレート（２６）との間に通路を形成する。柱（１６）の少なくとも一部分が、当該通路内に位置決めされ、ガセット（２４）とクランププレート（２６）との間でクランプ固定される。
2005529480.tif 000002
【特許請求の範囲】
【請求項１】
フレームと、
柱と、
前記柱を前記フレームに連結するために適したコネクタアセンブリと
を含むキャビネットであって、
前記コネクタアセンブリが、
前記フレームによって、正確に配置され、堅固に支持されたガセットと、
前記ガセットによって支持され、そして、前記ガセットから間隔をあけて配置されて、前記ガセットの少なくとも一部分と前記クランププレートとの間に通路を形成するクランププレートと
を含んでおり、前記柱の少なくとも一部分が、前記通路内に位置決めされ、前記ガセットと前記クランププレートとの間でクランプ固定される
ことを特徴とするキャビネット。
【請求項２】
前記フレームは、水平壁と、前記水平壁に形成された１つまたは複数のスロットとを有しており、そして、前記ガセットは、前記フレームに形成されたスロット内に位置決めされる少なくとも１つのタブを有している、請求項１に記載のキャビネット。
【請求項３】
前記フレームは、垂直側壁を有しており、そして、前記ガセットは、垂直側壁を有しており、前記フレームおよび前記ガセットの少なくとも一方が、前記垂直側壁に形成された穴を有し、そして、前記フレームおよび前記ガセットの他方が、前記穴に位置決めされるセミシャーを有する、請求項１に記載のキャビネット。
【請求項４】
前記フレームが前記穴を有し、そして、前記ガセットが前記セミシャーを有する、請求項３に記載のキャビネット。
【請求項５】
前記フレームおよび前記ガセットが、隣り合わせて位置決めされた互いに直交する垂直側壁を有している、請求項１に記載のキャビネット。
【請求項６】
前記フレームが、コーナー部の切欠を形成しており、そして、前記柱が、前記コーナー部の切欠の少なくとも一部分の中に位置決めされる、請求項１に記載のキャビネット。
【請求項７】
ガセットをフレームに連結するステップと、
前記ガセットから間隔をあけてクランププレートを位置決めして、前記ガセットの少なくとも一部分と前記クランププレートとの間に通路を形成するステップと、
柱の少なくとも一部分を前記通路に位置決めするステップと、
前記クランププレートを前記ガセットに対して相対的に移動させて、前記柱を、前記クランププレートと前記ガセットとの間にクランプ固定するステップと
を含む、キャビネットを組み立てるための方法。
【請求項８】
前記フレームは、水平壁と、前記水平壁に形成された１つまたは複数のスロットとを有しており、そして、前記方法は、前記ガセットのタブを前記フレームに形成された前記スロット内に位置決めするステップをさらに含む、請求項７に記載の方法。
【請求項９】
前記フレームは、垂直側壁を有しており、そして、前記ガセットは、垂直側壁を有しており、前記フレームおよび前記ガセットの少なくとも一方は、前記垂直側壁に形成された穴を有しており、そして、前記方法は、前記フレームおよび前記ガセットの他方を前記穴に位置決めするステップをさらに含む、請求項７に記載の方法。
【請求項１０】
前記フレームが前記穴を有し、そして、前記ガセットが前記セミシャーを有する、請求項９に記載の方法。
【請求項１１】
前記フレームおよび前記ガセットは、互いに直交する垂直側壁を有しており、そして、前記ガセットを前記フレームに連結する前記ステップは、前記互いに直交する垂直側壁を隣り合わせて位置決めするステップを含んでいる、請求項７に記載の方法。
【請求項１２】
前記フレームは、コーナー部の切欠を形成しており、そして、前記柱の少なくとも一部分を前記通路に位置決めする前記ステップが、さらに、前記柱の少なくとも一部分を前記コーナー部の切欠内に位置決めすることを含む、請求項７に記載の方法。
【発明の詳細な説明】
【技術分野】
【０００１】
本発明は、電子機器を保持するキャビネットの分野に関する。詳細には、本発明は、正確なモジュール構造を有し、サーバや電気通信機器など、ラック取付け式の電子機器用のラックを提供する、キャビネットフレームに関する。
【背景技術】
【０００２】
関連出願の相互参照
本出願は、米国特許法（３５ＵＳＣ）第１１９条に基づき、２００２年３月２８日出願の特許出願第６０／３６８，３９０号によって識別される仮出願に対する優先権を請求するものであり、その特許出願の内容全体を参照により本願に援用する。
【０００３】
連邦政府委託研究および開発に関する報告
該当なし。
【０００４】
電子キャビネットは、空間効率の高い構成で電子機器を保持するために使用される。電子機器は、キャビネット内部のラックに取り付けるためのフランジを設けて構成される。
【発明の開示】
【発明が解決しようとする課題】
【０００５】
【課題を解決するための手段】
【０００６】
【発明を実施するための最良の形態】
【０００７】
ここで、図面、特に図１を参照すると、本発明に従って組み立てられたキャビネットが参照番号１０で指定して示されている。キャビネット１０にはモジュール構造が与えられていて、当該キャビネット１０が、通常、サーバや電気通信機器など、電子機器１１を支持するように構成される。これについては以下でより詳細に説明する。最終的に組み立てられたキャビネット１０の構造的完全性または品質を犠牲にすることなく、キャビネット１０を、組み立てられていない状態で輸送し、その後現場で組み立てることができる。キャビネット１０は、通常、前扉／後扉、複数の側面パネル、天面プレートおよび基部プレート、ファンプレートアセンブリ、調節可能な複数の足部、接地キット、複数の奥行き部材（ｄｅｐｔｈ  ｍｅｍｂｅｒｓ）、ならびに調節可能な複数の取付け垂直材（ｍｏｕｎｔｉｎｇ  ｖｅｒｔｉｃａｌｓ）を完備して供給される。他のオプション付属部品には、通気孔なし（ｐｌａｉｎ）／通気孔付き（ｖｅｎｔｅｄ）前面パネル、ケーブルトレー、シャーシランナー、スライド棚、固定棚、前方固定足部、およびキャスタが含まれる。
【０００８】
キャビネット１０には、２つの上部フレーム／基部フレーム１２が設けられている。以後、上部フレームを１２ａで表し、基部フレームを１２ｂで表す。好ましい一実施形態では、上部フレーム１２ａおよび基部フレーム１２ｂは、構造および機能が同一であるので、一般にそのような構造に言及するときには、上部フレーム１２ａまたは基部フレーム１２ｂを単純に「フレーム１２」と呼ぶ。
【０００９】
キャビネット１０には、また、１つまたは複数の柱１６と、１つまたは複数のコネクタアセンブリ１８とが設けられている（図２参照）。コネクタアセンブリ１８は、柱１６をフレーム１２に連結する。
【００１０】
好ましい一実施形態では、キャビネット１０を、上部フレーム１２ａと、基部フレーム１２ｂと、４つの柱１６と、８つのコネクタアセンブリ１８とで組み立てられる、長方形のキャビネットと見なすことができる。この実施形態では、上部フレーム１２ａおよび基部フレーム１２ｂは、サイズがほぼ一致し、ともに、４つのコーナー部２０を形成する長方形の形状が与えられている（明確にするために、本明細書では、上部フレーム１２ａおよび基部フレーム１２ｂの複数のコーナー部２０のうちの１つだけを示す）。複数の柱１６は、それぞれ、上部フレーム１２ａおよび基部フレーム１２ｂの複数のコーナー部２０のうちの１つに隣接して位置決めされ、上部フレーム１２ａと基部フレーム１２ｂとの間を延びる。各柱１６を上部フレーム１２ａおよび基部フレーム１２ｂに連結する、２つのコネクタアセンブリ１８が設けられている。
【００１１】
図２および図３から最もよくわかるように、コネクタアセンブリ１８には、コーナー部ガセットプレート２４およびコーナー部クランププレート２６が含まれる。キャビネットが組み立てられるときには、コーナー部ガセットプレート２４が、フレーム１２によって堅固に支持される。コーナー部クランププレート２６は、コーナー部ガセットプレート２４によって支持され、当該コーナー部ガセットプレート２４から間隔をあけて配置されて、当該コーナー部ガセットプレート２４の少なくとも一部分と当該コーナー部クランププレート２６との間に通路２８を形成する。柱１６の少なくとも一部分が、通路２８内に位置決めされ、コーナー部ガセットプレート２４とコーナー部クランププレート２６との間でクランプ固定される。例えば、Ｍ１２×２５の六角穴付き丸頭ねじ２７によって、コーナー部クランププレート２６をコーナー部ガセットプレート２４に連結することができる。ただし、ウィングナットねじ、キャリッジねじ（ｃａｒｒｉａｇｅ  ｓｃｒｅｗ）、クランプ固定デバイス、鍵、磁石、本明細書に記載のように通路２８の相対的な幅を変化させて柱１６をクランプ固定できる他のいずれかのタイプの機械的／磁気アセンブリなど、他のいずれか適した方法またはアセンブリによって、コーナー部ガセットプレート２４をコーナー部クランププレート２６に連結できることを理解すべきである。
【００１２】
ここで、図４を参照して、フレーム１２についてより詳細に説明する。フレーム１２には、水平壁４０および垂直側壁４２が含まれる。フレーム１２の水平壁４０には、１つまたは複数のスロット４６（図９）が形成されている。図４および図５に示した実施例では、フレーム１２に４つのコーナー部２０が設けられており、各コーナー部２０に隣接して、水平壁４０に４つのスロット４６が形成されている。したがって、フレーム１２の水平壁４０には、１６個のスロット４６が含まれる。
【００１３】
複数のコーナー部ガセットプレート２４それぞれには、複数のスロット４６のうちの１つの内部に位置決めされる少なくとも１つのタブ４８（図９）が設けられている。図面に示した実施例では、複数のコーナー部ガセットプレート２４それぞれに、複数のコーナー部２０それぞれに設けられた４つのスロット４６に対応する、４つのタブ４８が設けられている。
【００１４】
図２、図３、および図６に示したように、複数のコーナー部ガセットプレート２４それぞれには、垂直側壁５０が含まれる。フレーム１２およびコーナー部ガセットプレート２４の少なくとも一方は、垂直側壁４２／５０に形成された１つまたは複数の穴５４を有しており、フレーム１２およびコーナー部ガセットプレート２４の他方には、当該穴５４に位置決めされるセミシャー（ｓｅｍｉ−ｓｈｅａｒ）５８が含まれる。
【００１５】
図４に示した実施例では、フレーム１２の垂直側壁４２に、３つの穴５４が形成されている。この実施例では、フレーム１２には、第１端部６２、反対側の第２端部６４、第１側部６６、反対側の第２側部６８、および４つの垂直側壁４２が設けられている。４つの垂直側壁４２のうちの２つは、概ね、第１端部６２と第２端部６４との間を延びる。残りの２つの垂直側壁４２は、概ね、第１側部６６と第２側部６８との間を延びる。各垂直側壁４２は、６つの穴５４を有しており、６つの穴５４のうちの３つが、複数のコーナー部２０のうちの１つに隣接して各垂直側壁４２に配置されている。図６に示したように、複数のコーナー部ガセットプレート２４は、それぞれ、垂直側壁５０に連結される４つのセミシャー５８を有する。各コーナー部ガセットプレート２４の４つのセミシャー５８は、各コーナー部２０に隣接して配置された６つの穴５４のうちの４つに配置される。各コーナー部２０に隣接した残りの２つの穴５４は、ボルト、ワッシャ、ナットなど、連結デバイス７０を受けて、垂直側壁４２と５０とを連結する。セミシャー５８は、複数のコーナー部位置におけるコーナー部ガセットプレート２４の精確な設置／位置合わせを確実にする働きをする。上部／底部フレーム１２でのコーナー部ガセットプレート２４の精確な位置合わせを確実にすることによって、隅柱１６の位置合わせに正確嵌めが保証される。
【００１６】
コーナー部ガセットプレート２４は、接着剤、ねじ、磁石など、いずれか適したアセンブリによってフレーム１２に連結される。例えば、図２に示した実施形態では、コーナー部ガセットプレート２４に水平プレート８０が設けられている。水平プレート８０は、ボルトなど、いずれか適したアセンブリ８１を介して、フレーム１２の水平壁４０に堅固に連結される。
【００１７】
コーナー部ガセットプレート２４の垂直側壁５０は、少なくとも２つの壁部分８６および８８を有するものと見なすことができる。２つの壁部分８６および８８は、当該壁部分８６および８８がフレーム１２の垂直側壁４２と概ね位置合わせされるように、互いに対して角度を成して配置される。フレーム１２が長方形フレームであるときには、壁部分８６および８８は、互いに対して約９０°に配置される。言い換えれば、フレーム１２の垂直側壁４２およびコーナー部ガセットプレート２４の垂直側壁５０は、「互いに直交する垂直側壁」と見なすことができる。
【００１８】
壁部分８６および８８を連結するために、垂直側壁５０には、当該壁部分８６と８８との間に位置決めされた第３の壁部分９０が設けられている。垂直側壁５０が、壁部分８６、８８、および９０を形成するように屈曲された板金で形成されることが好ましい。図３に示した好ましい実施形態では、コーナー部クランププレート２６が、コーナー部ガセットプレート２４の壁部分９０によって支持される。
【００１９】
図６〜図９に示したように、柱１６には、第１端部１００と、反対側の第２端部１０２と、それらの間を少なくとも部分的に延びる１つまたは複数のフランジ１０４とが含まれる。１つまたは複数のフランジ１０４は、柱１６をフレーム１２に連結するために、コーナー部クランププレート２６とコーナー部ガセットプレート２４との間に形成された通路２８に挿入されるようなサイズおよび寸法に設定される。柱１６の第１端部１００および第２端部１０２は、構造および機能がほぼ同一である。したがって、以後は第１端部１００だけについて説明する。柱１６の第１端部１００には、中央部分１１０から１対のショルダ１１２によって隔てられた、１対の陥凹部分１０８が含まれる。ショルダ１１２のサイズは、幅広く変更することができる。ただし、好ましい一実施形態では、柱１２がフレーム１２のコーナー部２０のところの設置位置（図８および図９）に位置決めされるときに１対の陥凹部分１０８が水平壁４０に係合するように、ショルダ１１２のサイズが、フレーム１２の水平壁４０の厚さに一致する。柱１６には、前述したオプション付属品を柱１６に連結する、いずれか適したアセンブリを設けることができる。例えば、特定のオプション付属品を柱１６に直接ボルトで固定できるように、柱１６に一連の複数の穴１２０を設けることができる。
【００２０】
キャビネット１０を組み立てるには、前述のように、４つのコーナー部ガセットプレート２４を上部フレーム１２ａに連結し、４つのコーナー部ガセットプレート２４を基部フレーム１２ｂに連結する。コーナー部クランププレート２６がコーナー部ガセットプレート２４から間隔をあけて位置決めされて、当該コーナー部ガセットプレート２４の少なくとも一部分と当該コーナー部クランププレート２６との間に通路２８が形成されるように、複数のコーナー部ガセットプレート２４それぞれに、複数のコーナー部クランププレート２６のうちの１つが連結される。各柱１６の少なくとも一部分が通路２８内に位置決めされ、コーナー部クランププレート２６がコーナー部ガセットプレート２４に対して相対的に動かされると、当該柱１６がコーナー部クランププレート２６とコーナー部ガセットプレート２４との間でクランプ固定される。例えば、コーナー部クランププレート２６は、ねじを締め付けることによって動かすことができる。次いで、４つの柱１６をそれぞれ上部フレーム１２ａおよび基部フレーム１２ｂに連結するために、この手順がさらに７回繰り返される。
【００２１】
フレーム１２ａ／１２ｂ、柱１６、コーナー部ガセットプレート２４、およびコーナー部クランププレート２６は、プラスチック、金属、ポリマー材料など、硬質の材料で組み立てられる。好ましい一実施形態では、フレーム１２ａ／１２ｂ、柱１６、コーナー部ガセットプレート２４、およびコーナー部クランププレート２６が、ハードプレスツールを使用して製造された板金で組み立てられる。例えば、フレーム１２を１．５ｍｍ鋼板で組み立てることができ、柱１６を１．５ｍｍ鋼板で組み立てることができ、コーナー部ガセットプレート２４を３．０ｍｍ鋼板で組み立てることができ、コーナー部クランププレート２６を３．０ｍｍ鋼板で組み立てることができる。
【００２２】
コネクタアセンブリ１８（もしくは「コーナー部アセンブリ」）は、確実に正確嵌めをもたらす、非常に安定な構造を提供する。ラックフレーム１２の複数のコーナー部２０について複数の部品がこのように構成されるので、公差の増加が起こらない。
【００２３】
この構成の他の利点は、当該構成を、組み立てられていない状態で輸送して、電子コンポーネントが設置される現場で容易に組み立てることができることである。組み立てられていない状態で輸送されるときには、ラックフレーム１２およびいずれかの付属コンポーネントは、嵩を大きく低減させる、したがって輸送コストを大きく削減する、いわゆる「フラットパック」として容易に輸送される。この設計により、上部フレーム１２ａのサブアセンブリ（上部プレートおよびファンプレートを含む）、底部フレーム１２ｂのサブアセンブリ（底部プレートおよび調節可能な複数の足部を含む）、ならびに複数の側部フレームのサブアセンブリ（側面パネル、奥行き部材、取付け垂直材、およびケーブルトレーを含む）が、最終ユーザによる組立時間の短縮をもたらすことによって、フラットパックの能力をさらに向上させる。
【００２４】
さらに、好ましい一実施形態では、キャビネット１０は、複数のコーナー部アセンブリ１８が上部フレーム１２ａおよび基部フレーム１２ｂに連結された状態で、顧客に届けられる。したがって、顧客は、キャビネット１０を組み立てるのに、単純に、複数の柱１６を適所にスライドさせ、ねじなどの機構を締め付けて、コーナー部クランププレート２６とコーナー部ガセットプレート２４との間の間隔を制御するだけでよい。
【００２５】
前述した実施形態の確実な正確嵌めの態様は、最終的に組み立てられたラックフレーム製品の構造的完全性または品質を犠牲にすることなく、組み立てられていない状態での輸送および現場での組立てを実施できることを意味する。
【００２６】
本明細書では現時点で好ましい本発明の実施形態について記載したが、本発明の精神および範囲から逸脱することなく、好ましい実施形態の多くの変更または代替形態が可能なことが、当業者には認識されよう。したがって、そのようなすべての修正形態、代替形態、および他の変更は、特許請求の範囲に包含されるものとする。
【図面の簡単な説明】
【００２７】
【図１】本発明に従って組み立てられたキャビネットの斜視図である。
【図２】本発明に従って組み立てられた、柱をフレームに連結するコネクタアセンブリの部分斜視図である。
【図３】コネクタアセンブリの他の斜視図である。
【図４】本発明に従って組み立てられたフレームの斜視図である。
【図５】図４に描かれたフレームにコーナー部ガセットプレートが連結される様子を示す斜視図である。
【図６】本発明に従って組み立てられた柱の斜視図である。
【図７】コネクタアセンブリを使用したフレームへの柱の連結を示す図である。
【図８】コネクタアセンブリを使用したフレームへの柱の連結を示す図である。
【図９】コネクタアセンブリを使用したフレームへの柱の連結を示す図である。
【図１】
2005529480.tif 000003
【図２】
2005529480.tif 000004
【図３】
2005529480.tif 000005
【図４】
2005529480.tif 000006
【図５】
2005529480.tif 000007
【図６】
2005529480.tif 000008
【図７】
2005529480.tif 000009
【図８】
2005529480.tif 000010
【図９】
2005529480.tif 000011
【国際調査報告】
2005529480.tif 000012
2005529480.tif 000013